(57)【要約】【課題】発光素子と受光素子の両方の位置決めに光が利用でき、しかも、基板の幅が太くならない光導波路及び光配線部材並びに光配線部材への光素子の実装方法を提供する。【解決手段】複数の発光素子１８及び複数の受光素子１９が実装される基板１に、発光素子及び受光素子間で通信用光を伝送するための複数の通信用光導波路コア３及び光導波路クラッド２を備えた光導波路が配置されてなる光配線部材５に、発光素子と受光素子を実装する際に、光導波路に、通信用光導波路コア３へ位置合わせ光を導入するための位置合わせ光導入部１４を備えておき、位置合わせ光導入部１４から通信用光導波路コア３へ導入されて基板１から出射される位置合わせ光を目標にして発光素子１８と受光素子１９の少なくとも一方を位置合わせする。【選択図】図１
2010256885.tif 000002
【特許請求の範囲】
【請求項１】
発光素子及び受光素子間で通信用光を伝送するための、複数の通信用光導波路コア及び上記複数の通信用光導波路コアの周囲を覆う光導波路クラッドを備えた光導波路において、
上記通信用光導波路コアへ位置合わせ光を導入するための複数の位置合わせ光導入部を備えたことを特徴とする光導波路。
【請求項２】
複数の発光素子及び複数の受光素子が実装される基板に、上記発光素子及び上記受光素子間で通信用光を伝送するための、複数の通信用光導波路コア及び上記複数の通信用光導波路コアの周囲を覆う光導波路クラッドを備えた光導波路が配置されてなる光配線部材において、
上記光導波路に、上記通信用光導波路コアへ位置合わせ光を導入するための位置合わせ光導入部を備えたことを特徴とする光配線部材。
【請求項３】
上記位置合わせ光導入部は、上記複数の通信用光導波路コアの異なるいずれかに交わるように上記光導波路内に形成された複数の位置合わせ用光導波路コアと、上記複数の位置合わせ用光導波路コアの周囲を覆う光導波路クラッドと、上記基板に照射された位置合わせ光をそれぞれの上記位置合わせ用光導波路コア内に反射させる複数の位置合わせ用ミラーとからなり、
互いに隣り合う通信用光導波路コア間に、両通信用光導波路コアの一方ずつに交わる２つの位置合わせ用光導波路コアが配置されたことを特徴とする請求項２記載の光配線部材。
【請求項４】
上記互いに隣り合う通信用光導波路コア間に配置された上記２つの位置合わせ用光導波路コアは、上記通信用光導波路コアの長手方向の異なる位置に配置されたことを特徴とする請求項３記載の光配線部材。
【請求項５】
上記互いに隣り合う通信用光導波路コア間に配置された上記２つの位置合わせ用光導波路コアは、１つの位置合わせ用ミラーを有する共用光導波路から分岐されたことを特徴とする請求項３記載の光配線部材。
【請求項６】
上記位置合わせ光導入部は、上記複数の通信用光導波路コアの全てに交わるように上記光導波路内に形成された一つながりの位置合わせ用光導波路コアと、上記基板に照射された位置合わせ光を上記位置合わせ用光導波路コア内に反射させる位置合わせ用ミラーとからなることを特徴とする請求項２記載の光配線部材。
【請求項７】
複数の発光素子及び複数の受光素子が実装される基板に、上記発光素子及び上記受光素子間で通信用光を伝送するための、複数の通信用光導波路コア及び上記複数の通信用光導波路コアの周囲を覆う光導波路クラッドを備えた光導波路が配置されてなる光配線部材に、上記発光素子と上記受光素子を実装する際に、
上記光導波路に、上記通信用光導波路コアへ位置合わせ光を導入するための位置合わせ光導入部を備えておき、
該位置合わせ光導入部から上記通信用光導波路コアへ導入されて上記基板から出射される位置合わせ光を目標にして上記発光素子と上記受光素子の少なくとも一方を位置合わせすることを特徴とする光配線部材への光素子の実装方法。
【請求項８】
上記基板の一方の実装箇所から上記通信用光導波路コアに位置合わせ光を照射し、もう一方の実装箇所から出射される光を目標にして該実装箇所に上記発光素子と上記受光素子のいずれかの光素子を位置合わせし、
その後、上記位置合わせ光導入部に位置合わせ光を照射し、残る実装箇所から出射される光を目標にして該実装箇所に残る光素子を位置合わせすることを特徴とする請求項７記載の光配線部材への光素子の実装方法。
【請求項９】
上記発光素子及び上記受光素子を上記基板に実装した後、上記位置合わせ光導入部に光遮蔽を施すことを特徴とする請求項７又は８記載の光配線部材への光素子の実装方法。
【発明の詳細な説明】
【技術分野】
【０００１】
本発明は、発光素子と受光素子の両方の位置決めに光が利用でき、しかも、基板の幅が太くならない光導波路及び光配線部材並びに光配線部材への光素子の実装方法に関する。
【背景技術】
【０００２】
通信機器、情報処理機器、家電機器などの電子機器において、電子機器内部間での、あるいは電子機器と外部との情報の伝送に光信号を使用することがある。光信号は、電気信号に比べて、速度が速い、情報容量が大きい、電磁ノイズに強いなどの利点がある。
【０００３】
光信号の伝送のために、電子機器には光配線部材が設けられる。光配線部材は、基板と、前記基板に配置された、光導波路コア及び光導波路コアの周囲を覆う光導波路クラッドからなる光導波路（以下、単に「光導波路」ともいう）からなるものであり、光配線部材を電子機器に設ける際には、前記基板の前記光導波路の配置されていない側の面に発光素子（ＬＤ；レーザダイオード）と受光素子（ＰＤ；フォトダイオード）が実装される。光導波路コアには、発光素子と受光素子に臨む位置にそれぞれミラーが形成されており、これにより、発光素子からの光信号が光導波路を経由して受光素子に届く。
【先行技術文献】
【特許文献】
【０００４】
【特許文献１】特開２００７−１７５５９号公報
【発明の概要】
【発明が解決しようとする課題】
【０００５】
基板には、発光素子を実装する箇所と受光素子を実装する箇所があるが、その実装箇所の正しい位置に位置合わせをして発光素子や受光素子（光素子と総称する）を実装しなければならない。
【０００６】
従来、位置合わせの方法として、光導波路コアが光をよく通すことを利用し、光導波路コアの一端、すなわち一方の光素子を実装する箇所に照明光等の光を照射すると、光導波路コアのもう一端、すなわちもう一方の光素子を実装する箇所から光が出射されるので、この光を目標にして光素子を位置決めするという方法がある。
【０００７】
しかしながら、この方法は、光導波路コアの一端に光素子を実装してしまうと、そこからは光導波路コアに照明光などを導入できないので、反対側の光素子の目標として光を出射させることができない。つまり、発光素子と受光素子のどちらかの位置決めにしか光が利用できない。
【０００８】
本出願人は、通信用光導波路コアとは異なるところから通信用光導波路コアへ位置合わせ光を導入することで発光素子と受光素子の両方の位置決めに光を利用することを提案しようとしている。ところが、複数の通信用光導波路コアがある光配線部材にそのような位置合わせ光導入部を設けようとすると、そのためのスペースを光導波路に確保しなければならないため、光導波路の幅が太くなり、ひいては、基板に光導波路が配置されてなる光配線部材の幅が太くなる。
【０００９】
そこで、本発明の目的は、上記課題を解決し、発光素子と受光素子の両方の位置決めに光が利用でき、しかも、幅が太くならない光導波路及び光配線部材並びに光配線部材への光素子の実装方法を提供することにある。
【課題を解決するための手段】
【００１０】
上記目的を達成するために本発明の光導波路は、発光素子及び受光素子間で通信用光を伝送するための、複数の通信用光導波路コア及び上記複数の通信用光導波路コアの周囲を覆う光導波路クラッドを備えた光導波路において、上記通信用光導波路コアへ位置合わせ光を導入するための複数の位置合わせ光導入部を備えたものである。
【００１１】
上記目的を達成するために本発明の光配線部材は、複数の発光素子及び複数の受光素子が実装される基板に、上記発光素子及び上記受光素子間で通信用光を伝送するための、複数の通信用光導波路コア及び上記複数の通信用光導波路コアの周囲を覆う光導波路クラッドを備えた光導波路が配置されてなる光配線部材において、上記光導波路に、上記通信用光導波路コアへ位置合わせ光を導入するための位置合わせ光導入部を備えたものである。
【００１２】
上記位置合わせ光導入部は、上記位置合わせ光導入部は、上記複数の通信用光導波路コアの異なるいずれかに交わるように上記光導波路内に形成された複数の位置合わせ用光導波路コアと、上記複数の位置合わせ用光導波路コアの周囲を覆う光導波路クラッドと、上記基板に照射された位置合わせ光をそれぞれの上記位置合わせ用光導波路コア内に反射させる複数の位置合わせ用ミラーとからなり、
互いに隣り合う通信用光導波路コア間に、両通信用光導波路コアの一方ずつに交わる２つの位置合わせ用光導波路コアが配置されてもよい。
【００１３】
上記互いに隣り合う通信用光導波路コア間に配置された上記２つの位置合わせ用光導波路コアは、上記通信用光導波路コアの長手方向の異なる位置に配置されてもよい。
【００１４】
上記互いに隣り合う通信用光導波路コア間に配置された上記２つの位置合わせ用光導波路コアは、１つの位置合わせ用ミラーを有する共用光導波路から分岐されてもよい。
【００１５】
上記位置合わせ光導入部は、上記複数の通信用光導波路コアの全てに交わるように上記光導波路内に形成された一つながりの位置合わせ用光導波路コアと、上記基板に照射された位置合わせ光を上記位置合わせ用光導波路コア内に反射させる位置合わせ用ミラーとからなってもよい。
【００１６】
また、本発明の光配線部材への光素子の実装方法は、複数の発光素子及び複数の受光素子が実装される基板に、上記発光素子及び上記受光素子間で通信用光を伝送するための、複数の通信用光導波路コア及び上記複数の通信用光導波路コアの周囲を覆う光導波路クラッドを備えた光導波路が配置されてなる光配線部材に、上記発光素子と上記受光素子を実装する際に、上記光導波路に、上記通信用光導波路コアへ位置合わせ光を導入するための位置合わせ光導入部を備えておき、該位置合わせ光導入部から上記通信用光導波路コアへ導入されて上記基板から出射される位置合わせ光を目標にして上記発光素子と上記受光素子の少なくとも一方を位置合わせするものである。
【００１７】
上記基板の一方の実装箇所から上記通信用光導波路コアに位置合わせ光を照射し、もう一方の実装箇所から出射される光を目標にして該実装箇所に上記発光素子と上記受光素子のいずれかの光素子を位置合わせし、その後、上記位置合わせ光導入部に位置合わせ光を照射し、残る実装箇所から出射される光を目標にして該実装箇所に残る光素子を位置合わせしてもよい。
【００１８】
上記発光素子及び上記受光素子を上記基板に実装した後、上記位置合わせ光導入部に光遮蔽を施してもよい。
【発明の効果】
【００１９】
本発明は次の如き優れた効果を発揮する。
【００２０】
（１）発光素子と受光素子の両方の位置決めに光が利用できる。
【００２１】
（２）光配線部材の幅が太くならない。
【図面の簡単な説明】
【００２２】
【図１】（ａ）は、本発明の一実施形態を示す光配線部材の平面図であり、（ｂ）は、（ａ）におけるＡ−Ａ断面の断面図である。
【図２】（ａ）、（ｂ）、（ｃ）は、本発明の光配線部材への光素子の実装方法における光配線部材の側面図である。
【図３】本発明の一実施形態を示す光配線部材の平面図である。
【図４】本発明の一実施形態を示す光配線部材の平面図である。
【発明を実施するための形態】
【００２３】
以下、本発明の一実施形態を添付図面に基づいて詳述する。
【００２４】
図１に示されるように、本発明の光導波路４は、発光素子１８（図２参照）及び受光素子１９（図２参照）間で通信用光を伝送するための、複数の通信用光導波路コア３及び上記複数の通信用光導波路コア３の周囲を覆う光導波路クラッド２を備えた光導波路４において、上記通信用光導波路コア３へ位置合わせ光を導入するための複数の位置合わせ光導入部１４を備えたものである。
【００２５】
本発明の光配線部材５は、複数の発光素子１８（図２参照）と複数の受光素子１９（図２参照）が実装される基板１に、上記発光素子１８及び上記受光素子１９間で通信用光を伝送するための、複数の通信用光導波路コア３及び上記複数の通信用光導波路コア３の周囲を覆う光導波路クラッド２を備えた光導波路４が配置されたものである。光導波路４には、通信用光導波路コア３へ位置合わせ光を導入するための位置合わせ光導入部１４を備える。
【００２６】
また、図１（ａ）に示されるように、基板１の電気配線面（光素子が実装される側の面）には、電気配線１２が設けられている。電気配線１２の一部は、光素子を実装するための素子実装部１３となっている。素子実装部１３と電気配線１２とは電気的に接続されているので、これにより、素子実装部１３に実装した光素子と、電気配線１２とが電気的に接続される。そして、電気配線１２が光配線部材５の外部との接続に用いられる。
【００２７】
図１（ｂ）は、図１（ａ）におけるＡ−Ａ断面の断面図である。図示した光導波路４は、形状を単純化したものであり、細長く形成された長方形の光導波路クラッド２の端部近傍から反対の端部近傍まで、複数の通信用光導波路コア３が互いに平行に直線的に形成されている。光導波路クラッド２の形状、通信用光導波路コア３の引き回しパターンは、図示のものに限らず、任意である。
【００２８】
光導波路４は、通信用光と位置合わせ光に対して透過性が良く所定の光屈折率差を有する部材からなり、複数の通信用光導波路コア３及び後述する複数の位置合わせ用光導波路コア６と、複数の通信用光導波路コア及び複数の位置合わせ用光導波路コアの周囲を覆い、通信用光導波路コア３及び位置合わせ用光導波路コア６よりも屈折率の低い光導波路クラッド２から構成される。光導波路４を構成する部材としては、さまざまなものが選択可能だが、例えば、ガラスや、柔軟性に富んだものとしては、アクリル系樹脂、エポキシ系樹脂、シリコーン系樹脂、ポリカーボネート樹脂、ポリスチレン樹脂、ポリイミド系樹脂などが用いられる。
【００２９】
通信用光導波路コア３の両端には、それぞれ通信用ミラー（マイクロミラー）５が形成されている。これら通信用ミラー１５の上部の基板表面に発光素子１８と受光素子１９が実装される。このとき発光素子１８の発光面、受光素子１９の受光面が通信用ミラー１５に正対するよう、発光素子１８と受光素子１９を位置合わせする必要がある。ここでは、図の左側の通信用ミラー１５に臨ませて発光素子１８を実装し、図の右側の通信用ミラー１５に臨ませて受光素子１９を搭載するものとする。
【００３０】
通信用ミラー１５及び後述する位置合わせ用ミラー１７は、光導波路コアに傾斜した切り欠き面を形成し、この切り欠け面上に、多層反射膜や金属反射膜（Ａｕ、Ａｌなど）を設置するなどにより実現できる。
【００３１】
位置合わせ光導入部１４は、複数の通信用光導波路コア３の異なるいずれかに交わるように光導波路クラッド２内に形成された複数の位置合わせ用光導波路コア６と、複数の位置合わせ用光導波路コア６の周囲を覆う光導波路クラッド２と、基板１に照射された位置合わせ光をそれぞれの位置合わせ用光導波路コア６内に反射させる複数の位置合わせ用ミラー１７とからなる。位置合わせ用光導波路コア６は、通信用光導波路コア３から分岐された光導波路コアともいえる。
【００３２】
本実施形態の光配線部材５では、互いに隣り合う通信用光導波路コア３間に、両通信用光導波路コア３の一方ずつに交わる２つの位置合わせ用光導波路コア６が配置される。すなわち、図示のように、第１列の通信用光導波路コア３に交わる位置合わせ用光導波路コア６は第１列の通信用光導波路コア３の第２列側に配置され、第２列の通信用光導波路コア３に交わる位置合わせ用光導波路コア６は第２列の通信用光導波路コア３の第１列側に配置される。第３列と第４列においても同様である。
【００３３】
また、互いに隣り合う通信用光導波路コア３間に配置された上記２つの位置合わせ用光導波路コア６は、通信用光導波路コア３の長手方向の異なる位置に配置される。すなわち、第１列の通信用光導波路コア３に交わる位置合わせ用光導波路コア６よりも図示右方向に距離を隔てて第２列の通信用光導波路コア３に交わる位置合わせ用光導波路コア６が配置される。これにより、これら第１列と第２列の２つの位置合わせ用光導波路コア６及び位置合わせ用ミラー１７は、互いに干渉しない位置関係にある。
【００３４】
位置合わせ光導入部１４は、発光素子１８のための位置合わせ用光導入部（図示せず）と受光素子１９のための位置合わせ用光導入部１４がそれぞれあってもよいが、本実施形態では、受光素子１９のための位置合わせ用光導入部１４のみを備える。
【００３５】
受光素子１９のための位置合わせ用光導入部１４にあっては、発光素子１８の実装位置（図の左側の通信用ミラー１５の位置）から見て位置合わせ用光導波路コア６が通信用光導波路コア３に対して交わる角度θが鋭角（９０°より小）となるよう位置合わせ用光導波路コア６が配置される。受光素子１９の実装位置から見ると位置合わせ用光導波路コア６が通信用光導波路コア３に対して交わる角度は、角度θの補角であるから鈍角である。
【００３６】
位置合わせ用ミラー１７が配置される位置（位置合わせ用光導波路コア６の終端）は任意であるが、本実施形態では、奇数列の位置合わせ用ミラー１７と、発光素子からの通信用光を通信用光導波路コア３内に反射させる通信用ミラー１５とが基板１の長手方向同じ位置に配置されている。通信用ミラー１５と位置合わせ用ミラー１７は、同一面をなしている。つまり、通信用ミラー１５と位置合わせ用ミラー１７は、ダイサによる一度の切削で同時に作製された各々の切り欠き面上に金属反射膜などを設置することによって形成されているため、通信用ミラー１５と位置合わせ用ミラー１７とが成す面は、同一平面上に存在することになる。
【００３７】
本発明の光配線部材５によれば、複数の発光素子１８と複数の受光素子１９が実装される基板１に、複数の通信用光導波路コア３及び複数の通信用光導波路コア３の周囲を覆う光導波路クラッド２からなる光導波路が配置されてなる光配線部材５において、通信用光導波路コア３へ位置合わせ光を導入するための位置合わせ光導入部１４を備えたので、後述する手順により、発光素子１８と受光素子１９の両方の位置決めに光が利用できる。
【００３８】
図１の光配線部材５によれば、位置合わせ光導入部１４として、複数の通信用光導波路コア３の異なるいずれかに交わるように基板１に形成された複数の位置合わせ用光導波路コア６と、基板１に照射された位置合わせ光をそれぞれの位置合わせ用光導波路コア６内に反射させる複数の位置合わせ用ミラー１７とを設けるにあたり、互いに隣り合う通信用光導波路コア３間に、両通信用光導波路コア３の一方ずつに交わる２つの位置合わせ用光導波路コア６を配置した。すなわち、第１列と第２列の通信用光導波路コア３の間に、２つの位置合わせ用光導波路コア６を配置した。これにより、第２列と第３列の通信用光導波路コア３の間は位置合わせ用光導波路コア６を配置する必要がなく、通信用光導波路コア３間の間隔を拡げる必要がない。このため、複数の位置合わせ用光導波路コア６を設けたことによる基板１の幅の増加が少なくて済み、基板１の幅が太くならない。
【００３９】
また、図１の光配線部材５によれば、互いに隣り合う通信用光導波路コア３間に配置された２つの位置合わせ用光導波路コア６は、通信用光導波路コア３の長手方向の異なる位置に配置されるので、２つの位置合わせ用光導波路コア６同士が干渉することがない。
【００４０】
次に、図１の光配線部材５における発光素子１８と受光素子１９の実装手順を説明する。
【００４１】
まず、図２（ａ）に示されるように、基板１の受光素子１９の実装箇所から通信用光導波路コア３に位置合わせ光を照射する。位置合わせ光は、一般の照明で得られる可視光や、レーザ素子やＬＥＤ素子で得られる光などである。位置合わせ光は、通信用光導波路コア３を通り、発光素子１８の実装箇所から出射される。このとき、発光素子１８の実装箇所から出射される位置合わせ光を目標にして、その実装箇所に発光素子１８を位置合わせする。なお、基板１として、通信用光と位置合わせ光に対して透過性の良い基板を用いると、基板１に、通信用光と位置合わせ光を透過させるための貫通孔を形成する必要がなくなり好ましいが、基板１に、通信用光と位置合わせ光を透過させるための貫通孔を形成することにして、通信用光と位置合わせ光に対して透過性の悪い基板を用いてもよい。また、基板１としてはリジッド基板、フレキシブル基板のどちらを用いても良い。
【００４２】
その後、図１の奇数列の受光素子を位置合わせするときは図２（ｂ）に示されるように、偶数列の受光素子を位置合わせするときは図２（ｃ）に示されるように、位置合わせ光導入部１４に位置合わせ光を照射する。位置合わせ光導入部１４の位置合わせ用光導波路コア６が通信用光導波路コア３に交わるので、位置合わせ光は位置合わせ用光導波路コア６から通信用光導波路コア３に導入される。この位置合わせ光は、受光素子１９の実装箇所から出射される。そこで、この受光素子１９の実装箇所から出射される位置合わせ光を目標にしてその実装箇所に受光素子１９を位置合わせする。
【００４３】
このようにして、発光素子１８と受光素子１９を基板１に実装した後、位置合わせ光導入部１４に光遮蔽（図示せず）を施す。光遮蔽は、位置合わせ用ミラー１７の上部を覆うように、光を通さない樹脂板あるいは金属板を基板１に張り付けること、あるいは基板１に塗料を塗布することなどで実現できる。
【００４４】
以上の手順から分かるように、本発明の光配線部材への光素子の実装方法によれば、光配線部材５が通信用光導波路コア３のほかに通信用光導波路コア３へ位置合わせ光を導入するための位置合わせ光導入部１４を備えるため、受光素子１９の実装箇所から通信用光導波路コア３に位置合わせ光を照射して発光素子１８を位置合わせした後は、位置合わせ光導入部１４に位置合わせ光を照射することにより、受光素子１９の実装箇所から光が出射される。このように、発光素子１８と受光素子１９の両方の位置決めに光が利用できる。
【００４５】
本発明の光配線部材への光素子の実装方法によれば、発光素子１８と受光素子１９を基板１に実装した後、位置合わせ光導入部１４に光遮蔽を施すので、光配線部材５の稼働時に位置合わせ光導入部１４に外光が入ることが防止される。
【００４６】
上記実施形態では、受光素子１９のための位置合わせ用光導入部１４の位置合わせ用光導波路コア６が、発光素子１８の実装位置から見て通信用光導波路コア３に対して角度θが鋭角で交わるようにした。これにより、光配線部材５の稼働時、発光素子１８からの通信用光が位置合わせ用光導波路コア６に漏洩する光量は少なく、通信用光導波路コア３を通って受光素子１９に至る。
【００４７】
上記実施形態では、光配線部材５が受光素子１９のための位置合わせ用光導入部１４のみを備えたが、発光素子１８のための位置合わせ用光導入部のみを備えてもよく、その場合、まず、基板１の発光素子１８の実装箇所から通信用光導波路コア３に位置合わせ光を照射して受光素子１９を位置合わせし、その後、発光素子１８のための位置合わせ用光導入部に位置合わせ光を照射して発光素子１８を位置合わせするという手順になる。発光素子１８のための位置合わせ用光導入部と受光素子１９のための位置合わせ用光導入部１４をそれぞれ備える場合、発光素子１８と受光素子１９の位置合わせ順序は任意となる。
【００４８】
但し、発光素子１８のための位置合わせ用光導入部を備える場合、位置合わせ用光導波路コア６は受光素子１９の実装位置と鋭角をなして通信用光導波路コアと交わる。そのため、光配線部材５の稼動時には、発光素子１８からの通信光が位置合わせ用光導波路コア６から漏洩する光量は多くなる。
【００４９】
上記実施形態では、位置合わせ用光導波路コア６を通信用光導波路コア３に対して角度θで交わる直線状に形成した。本発明は、これに限らず、位置合わせ用光導波路コア６を曲線状に形成してもよい。例えば、位置合わせ用光導波路コア６と通信用光導波路コア３が交わる箇所では角度θで交わるようにし、位置合わせ用ミラー１７の位置では位置合わせ用光導波路コア６と通信用光導波路コア３が平行になるよう、位置合わせ用光導波路コア６に適宜な曲率の曲げ部分を設ける。
【００５０】
位置合わせ用光導波路コア６を、通信用光導波路コア３とは交差せず、通信用光導波路コア３に近接して形成することで、位置合わせ用光導波路コア６に通信用光が漏洩するのを防止してもよい。この場合、通信用光導波路コア３は、位置合わせ用光導波路コア６と近接する部分においても光導波路クラッド２に周囲を覆われているため、通信用光は位置合わせ用光導波路コア６に漏洩することはない。通信用光導波路コア３と位置合わせ用光導波路コア６の離間距離、通信用光導波路コア３と位置合わせ用光導波路コア６のなす角度、通信用光導波路コア６の屈折率を適宜調整することで、位置合わせ光を通信用光導波路コア３に好適に導入することができる。
【００５１】
上記実施形態では、発光素子１８側の通信用ミラー１５と奇数列の位置合わせ用ミラー１７は、同一面をなしている。これは、ダイシングによりミラーを形成する際に、１回のダイシングで通信用ミラー１５と位置合わせ用ミラー１７を一括して形成できるという利点がある。また、同一面をなしていない場合（例えば、図２（ｃ）のように位置合わせ光導入部１４の位置合わせ用ミラーが形成される場合）には、レーザ加工などによりミラーを形成できる。
【００５２】
次に、本発明の光配線部材５の他の実施形態を説明する。
【００５３】
図３に示した光配線部材５は、互いに隣り合う通信用光導波路コア３間に配置された２つの位置合わせ用光導波路コア６が１つの位置合わせ用ミラー１７を有する共用光導波路コア１０から分岐されたものである。共用光導波路コア１０は、奇数列の通信用光導波路コア３と偶数列の通信用光導波路コア３との間に設けられる。位置合わせ用光導波路コア６は、位置合わせ用光導波路コア６と通信用光導波路コア３が交わる箇所では角度θで交わるが、共用光導波路コア１０に至るまでに適宜な曲率で曲げられる。
【００５４】
この光配線部材５においても、第２列と第３列の通信用光導波路コア３の間は位置合わせ用光導波路コア６を配置する必要がなく、通信用光導波路コア３間の間隔を拡げる必要がないので、複数の位置合わせ用光導波路コア６を設けたことによる基板１の幅の増加が少なくて済み、基板１の幅が太くならない。
【００５５】
図３では、位置合わせ用ミラー１７の位置は、通信用ミラー１５の位置と同一面をなしておらず、光導波路４の長手方向で異なる位置に形成されているが、同一面をなすように形成することもでき、この場合、一度のダイシング加工で両方のミラーを形成することができる。
【００５６】
図４に示した光配線部材５は、位置合わせ光導入部１４が複数の通信用光導波路コア３の全てに交わるように基板１に形成された一つながりの位置合わせ用光導波路コア６と、基板１に照射された位置合わせ光を位置合わせ用光導波路コア６内に反射させる位置合わせ用ミラー１７とからなる。
【００５７】
ここでは、位置合わせ用光導波路コア６は、これら通信用光導波路コア３に対して一定の角度θで交差する直線状に形成されている。
【００５８】
位置合わせ用ミラー１７の位置で基板１に照射された位置合わせ光は、位置合わせ用光導波路コア６を通り、位置合わせ用光導波路コア６が第１列〜第４列の通信用光導波路コア３と交わる箇所のそれぞれにおいて、位置合わせ用光導波路コア６を直進する成分と通信用光導波路コア３に漏れ込む成分に分かれる。これにより、１箇所の位置合わせ用ミラー１７と１本の位置合わせ用光導波路コア６からなる位置合わせ光導入部１４によって全ての通信用光導波路コア３に位置合わせ光を導入させることができる。
【００５９】
図４の光配線部材５は、通信用光導波路コア３間に個別の位置合わせ光導入部１４を設けないので、複数の通信用光導波路コア３を比較的狭い間隔で配置させることができる。これにより、位置合わせ光導入部１４を設けることによる基板１の幅の増加が少なくて済み、基板１の幅が太くならない。
【００６０】
また、図４の光配線部材５は、複数の通信用光導波路コア３を等間隔に配置させることができる。これにより、基板１に実装する複数の発光素子や受光素子がアレイ素子１１である場合にも適用できる。
【符号の説明】
【００６１】
１  基板
２  光導波路クラッド
３  通信用光導波路コア
４  光導波路
５  光配線部材
６  位置合わせ用光導波路コア
１０  共用光導波路コア
１１  アレイ素子
１２  電気配線
１３  素子実装部
１４  位置合わせ光導入部
１５  通信用ミラー
１７  位置合わせ用ミラー
１８  発光素子
１９  受光素子
【図１】
2010256885.tif 000003
【図２】
2010256885.tif 000004
【図３】
2010256885.tif 000005
【図４】
2010256885.tif 000006